(57)【要約】【課題】伝達ギア部による駆動力の伝達を円滑に行うことが可能で、かつ、サイズの大きな伝達ギア部を設計上容易に配置することが可能な表示画面旋回装置を提供する。【解決手段】この表示画面旋回装置２０は、ディスプレイ本体１０を載置する台座部３０の内部に配置されたステッピングモータ５２および伝達ギア部５１と、係合部材８７が設けられ、水平面内で回動可能でかつ垂直面に対して回動可能にディスプレイ本体１０を支持する表示画面支持部材８１と、台座部３０側に配置され、係合部材８７が係合される係合孔６１ｃと、伝達ギア部５１と水平方向に噛合するラックギア６２とを含むラックプレート６０とを備える。そして、ステッピングモータ５２の正逆回転によりラックプレート６０が水平面内で往復移動されることに伴い、ラックプレート６０の係合孔６１ｃに係合された係合部材８７が回動されることによって、表示画面支持部材８１が垂直面に対して所定の角度前後方向に回動されるように構成されている。【選択図】図５
2008116769.tif 000002
【特許請求の範囲】
【請求項１】
表示画面部を載置するための台座部を備えた表示画面旋回装置において、
前記台座部の内部に配置された駆動源と、
前記台座部の内部に配置され、前記駆動源の駆動力が所定値を超えた場合に、前記駆動源の駆動力を遮断するトルクリミッタを含むとともに、前記駆動源の駆動軸に設けられたウォームギアを介して前記駆動源の駆動力を伝達するための伝達ギア部と、
水平面内で回動可能でかつ垂直面に対して回動可能に前記表示画面部を支持するとともに、前記水平面内の回動中心を通る垂直な線分上に係合部材が設けられた表示画面支持部材と、
前記台座部側に配置され、前記表示画面支持部材の前記係合部材が係合される第１係合部と、前記伝達ギア部と水平方向に噛合するラックギアとを含むラックプレートとをさらに備え、
前記駆動源の正逆回転により前記ラックプレートが前記水平面内で往復移動されることに伴い、前記ラックプレートの前記第１係合部に係合された前記表示画面支持部材の前記係合部材が回動されることによって、前記表示画面支持部材が前記垂直面に対して所定の角度前後方向に回動されるように構成され、
前記ラックプレートの前記第１係合部は、前記ラックプレートが前記水平面内で往復動作を行う方向と交差する方向に延びる長孔形状の係合孔を含む、表示画面旋回装置。
【請求項２】
表示画面部を載置するための台座部と、
前記台座部の内部に配置された駆動源と、
前記台座部の内部に配置され、前記駆動源の駆動力を伝達するための伝達ギア部と、
係合部材が設けられ、水平面内で回動可能でかつ垂直面に対して回動可能に前記表示画面部を支持する表示画面支持部材と、
前記台座部側に配置され、前記表示画面支持部材の前記係合部材が係合される第１係合部と、前記伝達ギア部と水平方向に噛合するラックギアとを含むラックプレートとを備え、
前記駆動源の正逆回転により前記ラックプレートが前記水平面内で往復移動されることに伴い、前記ラックプレートの前記第１係合部に係合された前記表示画面支持部材の前記係合部材が回動されることによって、前記表示画面支持部材が前記垂直面に対して所定の角度前後方向に回動されるように構成されている、表示画面旋回装置。
【請求項３】
前記伝達ギア部は、前記駆動源の駆動力が所定値を超えた場合に、前記駆動源の駆動力を遮断するトルクリミッタを含む、請求項２に記載の表示画面旋回装置。
【請求項４】
前記駆動源は、前記駆動源の駆動軸に設けられたウォームギアを介して前記駆動源の駆動力を前記伝達ギア部に伝達する、請求項２または３に記載の表示画面旋回装置。
【請求項５】
前記係合部材は、前記表示画面支持部材の前記水平面内の回動中心を通る垂直な線分上に設けられている、請求項２〜４のいずれか１項に記載の表示画面旋回装置。
【請求項６】
前記ラックプレートの前記第１係合部は、前記ラックプレートが前記水平面内で往復動作を行う方向と交差する方向に延びる長孔形状の係合孔を含む、請求項２〜５のいずれか１項に記載の表示画面旋回装置。
【請求項７】
前記ラックプレートに回動可能に設けられるとともに、前記表示画面支持部材の前記係合部材と係合する第２係合部を一体的に含むロックレバーをさらに備え、
前記第２係合部の、前記表示画面支持部材の前記係合部材との係合が解除された場合に、前記表示画面支持部材を水平位置近傍まで回動させることが可能なように構成されている、請求項２〜６のいずれか１項に記載の表示画面旋回装置。
【請求項８】
前記ロックレバーは、前記表示画面支持部材を水平位置近傍から垂直方向に回動させる際に、前記表示画面支持部材に設けられた前記係合部材の回動とともに、前記係合部材と前記ロックレバーの前記第２係合部との係合状態を自動的に回復させるためのガイド部をさらに含む、請求項７に記載の表示画面旋回装置。
【発明の詳細な説明】
【技術分野】
【０００１】
この発明は、表示画面旋回装置に関し、特に、表示画面部を載置するための台座部を備えた表示画面旋回装置に関する。
【背景技術】
【０００２】
従来、表示画面部を載置するための台座部を備えた表示画面旋回装置が知られている（たとえば、特許文献１〜３参照）。
【０００３】
上記特許文献１には、チルティングベース（台座部）の上面に固定されたチルティング駆動モータと、チルティングギア列（伝達ギア部）と、プロジェクションテレビ本体（表示画面部）の底部にギア部が下向きとなるように固定された円弧状のラックギアとを含んだチルト機構（表示画面旋回装置）と、プロジェクションテレビ本体の底部に回転可能に設けられた複数のチルティング用ローラと、チルティングベース（台座部）の上面に設けられたチルティングガイドとを備えたプロジェクションテレビ（表示装置）が開示されている。この特許文献１に記載のプロジェクションテレビ（表示装置）では、複数のチルティング用ローラがチルティングガイドの溝部に回転可能に嵌め込まれた状態で、プロジェクションテレビ本体（表示画面部）がチルティングベース（台座部）上に載置されるとともに、チルティング駆動モータの駆動力がラックギアの下方に位置するチルティングギア列（伝達ギア部）を介して、ラックギアに伝達されることによって、プロジェクションテレビ本体（表示画面部）がチルティングベース（台座部）上を上下方向に旋回することが可能に構成されている。
【０００４】
また、上記特許文献２および３には、溝部を有するとともに横長形状に形成され、ディスプレイの背面側下部に設けられた支持プレートをディスプレイとともに上下方向に回動可能に支持する支持枠と、支持枠上に直立する方向に取り付けられた減速機（伝達ギア部）および電動モータと、一方端部が減速機（伝達ギア部）側の駆動軸に固定された回動アームと、一方端部が支持プレート側に回動可能に結合された連結アームとを含んだチルト機構を備えたディスプレイ用電動回転機構が開示されている。この特許文献２および３に記載のディスプレイ用電動回転機構では、回動アームおよび連結アームの他方端部同志が軸部材によって回動可能に結合されるとともに、電動モータの駆動力が減速機（伝達ギア部）を介して、回動アーム、連結アームおよび支持プレートの順に伝達されることによって、ディスプレイ（表示画面部）が支持プレートとともに支持枠上を上下方向に旋回することが可能に構成されている。
【０００５】
【特許文献１】特開平６−２２５２４５号公報
【特許文献２】特開２００４−２５８０５５号公報
【特許文献３】特開２００４−３０４６７９号公報
【発明の開示】
【発明が解決しようとする課題】
【０００６】
しかしながら、上記特許文献１に記載のチルト機構（表示画面旋回装置）を備えたプロジェクションテレビ（表示装置）では、プロジェクションテレビ本体（表示画面部）の自重が、チルティング用ローラおよびチルティングガイドを介してチルティングベース（台座部）に加わる一方、ラックギアが上方からチルティングギア列（伝達ギア部）に覆い被さるように噛合しているために、チルティングギア列（伝達ギア部）にもプロジェクションテレビ本体（表示画面部）からの荷重が加えられていると考えられる。したがって、チルティングギア列（伝達ギア部）はプロジェクションテレビ本体（表示画面部）から加えられる荷重に起因して、チルティングギア列（伝達ギア部）による駆動力の伝達を円滑に行うのが困難になるという問題点がある。
【０００７】
また、上記特許文献２および３に記載のディスプレイ用電動回転機構では、減速機（伝達ギア部）は、ディスプレイ（表示画面部）の旋回動作を滑らかに行うために、高い回転速度で駆動する電動モータに対して、ギア比の大きなギアを複数組み合わせて低い回転速度まで減速させるように設計されていると考えられる。したがって、電動モータを含めた減速機（伝達ギア部）の部材サイズを考慮した場合、減速機（伝達ギア部）および電動モータを横長の支持枠上に直立して設けるような配置構成は、設計上の困難さを有するという問題点がある。
【０００８】
この発明は、上記のような課題を解決するためになされたものであり、この発明の１つの目的は、伝達ギア部による駆動力の伝達を円滑に行うことが可能で、かつ、サイズの大きな伝達ギア部を設計上容易に配置することが可能な表示画面旋回装置を提供することである。
【課題を解決するための手段および発明の効果】
【０００９】
この発明の第１の局面による表示画面旋回装置は、表示画面部を載置するための台座部を備えた表示画面旋回装置において、台座部の内部に配置された駆動源と、台座部の内部に配置され、駆動源の駆動力が所定値を超えた場合に、駆動源の駆動力を遮断するトルクリミッタを含むとともに、駆動源の駆動軸に設けられたウォームギアを介して駆動源の駆動力を伝達するための伝達ギア部と、水平面内で回動可能でかつ垂直面に対して回動可能に表示画面部を支持するとともに、水平面内の回動中心を通る垂直な線分上に係合部材が設けられた表示画面支持部材と、台座部側に配置され、表示画面支持部材の係合部材が係合される第１係合部と、伝達ギア部と水平方向に噛合するラックギアとを含むラックプレートとをさらに備え、駆動源の正逆回転によりラックプレートが水平面内で往復移動されることに伴い、ラックプレートの第１係合部に係合された表示画面支持部材の係合部材が回動されることによって、表示画面支持部材が垂直面に対して所定の角度前後方向に回動されるように構成され、ラックプレートの第１係合部は、ラックプレートが水平面内で往復動作を行う方向と交差する方向に延びる長孔形状の係合孔を含む。
【００１０】
この第１の局面による表示画面旋回装置では、上記のように、台座部の内部に配置された駆動源と、台座部の内部に配置され、駆動源の駆動力を伝達するための伝達ギア部とを備えるように構成することによって、小型化が困難な伝達ギア部と伝達ギア部の駆動源とを共に台座部の内部に収納することができるので、サイズの大きな伝達ギア部を設計上容易に配置することができる。係合部材が設けられ、水平面内で回動可能でかつ垂直面に対して回動可能に表示画面部を支持する表示画面支持部材と、台座部側に配置され、表示画面支持部材の係合部材が係合される第１係合部と、伝達ギア部と水平方向に噛合するラックギアとを含むラックプレートとを備え、駆動源の正逆回転によりラックプレートが水平面内で往復移動されることに伴い、ラックプレートの第１係合部に係合された表示画面支持部材の係合部材が回動されることによって、表示画面支持部材が垂直面に対して所定の角度前後方向に回動されるように構成することによって、表示画面部の自重は、表示画面部の静止時および旋回動作時に関係なく、表示画面支持部材に加えられる一方、ラックプレートおよびラックギアを介して水平方向に噛合された伝達ギア部へは加えられないので、伝達ギア部による駆動力の伝達を円滑に行うことができる。
【００１１】
また、第１の局面による表示画面旋回装置では、伝達ギア部を、駆動源の駆動力が所定値を超えた場合に、駆動源の駆動力を遮断するトルクリミッタを含むように構成することによって、表示画面部が垂直方向に旋回している際に不意な外力などによって旋回動作が停止された場合や、旋回角度範囲の最大値に到達して旋回動作が停止された場合は、回転が継続されている駆動源の駆動力をトルクリミッタによって遮断することができるので、駆動源の駆動力が伝達ギア部に伝達されない。したがって、駆動源の駆動力が所定のトルク値を超えた場合の無理な回転に伴う伝達ギアの破損を抑制することができる。また、駆動源を、駆動源の駆動軸に設けられたウォームギアを介して駆動源の駆動力を伝達ギア部に伝達するように構成することによって、不意な外力などによって表示画面部が旋回されることに伴って伝達ギア部を構成する各ギアが順次駆動した場合でも、ギアの回転がウォームギアを回転させることはできないので、駆動源以外の駆動力によって駆動源が逆に駆動されてしまうことを抑制することができる。
【００１２】
また、第１の局面による表示画面旋回装置では、係合部材を、表示画面支持部材の水平面内の回動中心を通る垂直な線分上に設けられるように構成することによって、表示画面部が水平面内で回動（旋回）された場合でも、係合部材は表示画面支持部材の水平面内の回動中心上に位置するので、ラックプレートは水平面内での移動方向と交差する方向に動かされることはなく、係合部材とラックプレートの第１係合部との係合状態が継続される。したがって、表示画面部が水平面内で回動（旋回）された状態から、さらにラックプレートを往復移動させた場合でも、表示画面支持部材および表示画面部を垂直面に対して前後方向に回動（旋回）させることができる。また、ラックプレートの第１係合部を、ラックプレートが水平面内で往復動作を行う方向と交差する方向に延びる長孔形状の係合孔を含むように構成することによって、表示画面部が水平面内で回動（旋回）された状態で、表示画面部を垂直面に対して前後方向に回動（旋回）させる場合でも、表示画面支持部材の係合部材がラックプレートの係合孔の内部を移動しながらラックプレートの第１係合部と係合した状態を継続することができるので、容易に、表示画面支持部材を垂直面に対して前後方向に回動（旋回）させることができる。
【００１３】
この発明の第２の局面による表示画面旋回装置は、表示画面部を載置するための台座部と、台座部の内部に配置された駆動源と、台座部の内部に配置され、駆動源の駆動力を伝達するための伝達ギア部と、係合部材が設けられ、水平面内で回動可能でかつ垂直面に対して回動可能に表示画面部を支持する表示画面支持部材と、台座部側に配置され、表示画面支持部材の係合部材が係合される第１係合部と、伝達ギア部と水平方向に噛合するラックギアとを含むラックプレートとを備え、駆動源の正逆回転によりラックプレートが水平面内で往復移動されることに伴い、ラックプレートの第１係合部に係合された表示画面支持部材の係合部材が回動されることによって、表示画面支持部材が垂直面に対して所定の角度前後方向に回動されるように構成されている。
【００１４】
この第２の局面による表示画面旋回装置では、上記のように、台座部の内部に配置された駆動源と、台座部の内部に配置され、駆動源の駆動力を伝達するための伝達ギア部とを備えるように構成することによって、小型化が困難な伝達ギア部と伝達ギア部の駆動源とを共に台座部の内部に収納することができるので、サイズの大きな伝達ギア部を設計上容易に配置することができる。また、係合部材が設けられ、水平面内で回動可能でかつ垂直面に対して回動可能に表示画面部を支持する表示画面支持部材と、台座部側に配置され、表示画面支持部材の係合部材が係合される第１係合部と、伝達ギア部と水平方向に噛合するラックギアとを含むラックプレートとを備え、駆動源の正逆回転によりラックプレートが水平面内で往復移動されることに伴い、ラックプレートの第１係合部に係合された表示画面支持部材の係合部材が回動されることによって、表示画面支持部材が垂直面に対して所定の角度前後方向に回動されるように構成することによって、表示画面部の自重は、表示画面部の静止時および旋回動作時に関係なく、表示画面支持部材に加えられる一方、ラックプレートおよびラックギアを介して水平方向に噛合された伝達ギア部へは加えられないので、伝達ギア部による駆動力の伝達を円滑に行うことができる。
【００１５】
上記第２の局面による表示画面旋回装置において、好ましくは、伝達ギア部は、駆動源の駆動力が所定値を超えた場合に、駆動源の駆動力を遮断するトルクリミッタを含む。このように構成すれば、表示画面部が垂直方向に旋回している際に不意な外力などによって旋回動作が停止された場合や、旋回角度範囲の最大値に到達して旋回動作が停止された場合は、回転が継続されている駆動源の駆動力をトルクリミッタによって遮断することができるので、駆動源の駆動力が伝達ギア部に伝達されない。したがって、駆動源の駆動力が所定のトルク値を超えた場合の無理な回転に伴う伝達ギアの破損を抑制することができる。
【００１６】
上記第２の局面による表示画面旋回装置において、好ましくは、駆動源は、駆動源の駆動軸に設けられたウォームギアを介して駆動源の駆動力を伝達ギア部に伝達する。このように構成すれば、不意な外力などによって表示画面部が旋回されることに伴って伝達ギア部を構成する各ギアが順次駆動した場合でも、ギアの回転がウォームギアを回転させることはできないので、駆動源以外の駆動力によって駆動源が逆に駆動されてしまうことを抑制することができる。
【００１７】
上記第２の局面による表示画面旋回装置において、好ましくは、係合部材は、表示画面支持部材の水平面内の回動中心を通る垂直な線分上に設けられている。このように構成すれば、表示画面部が水平面内で回動（旋回）された場合でも、係合部材は表示画面支持部材の水平面内の回動中心上に位置するので、ラックプレートは水平面内での移動方向と交差する方向に動かされることはなく、係合部材とラックプレートの第１係合部との係合状態が継続される。したがって、表示画面部が水平面内で回動（旋回）された状態から、さらにラックプレートを往復移動させた場合でも、表示画面支持部材および表示画面部を垂直面に対して前後方向に回動（旋回）させることができる。
【００１８】
上記第２の局面による表示画面旋回装置において、好ましくは、ラックプレートの第１係合部は、ラックプレートが水平面内で往復動作を行う方向と交差する方向に延びる長孔形状の係合孔を含む。このように構成すれば、表示画面部が水平面内で回動（旋回）された状態で、表示画面部を垂直面に対して前後方向に回動（旋回）させる場合でも、表示画面支持部材の係合部材がラックプレートの係合孔の内部を移動しながらラックプレートの第１係合部と係合した状態を継続することができるので、容易に、表示画面支持部材を垂直面に対して前後方向に回動（旋回）させることができる。
【００１９】
上記第２の局面による表示画面旋回装置において、好ましくは、ラックプレートに回動可能に設けられるとともに、表示画面支持部材の係合部材と係合する第２係合部を一体的に含むロックレバーをさらに備え、第２係合部の、表示画面支持部材の係合部材との係合が解除された場合に、表示画面支持部材を水平位置近傍まで回動させることが可能なように構成されている。このように構成すれば、表示装置を所定の収納する場合や、他の場所へ移動させる場合にも、容易に、表示画面部を水平位置近傍まで回動させることができる。
【００２０】
この場合、好ましくは、ロックレバーは、表示画面支持部材を水平位置近傍から垂直方向に回動させる際に、表示画面支持部材に設けられた係合部材の回動とともに、係合部材とロックレバーの第２係合部との係合状態を自動的に回復させるためのガイド部をさらに含む。このように構成すれば、表示画面部を水平位置（収納時など）から垂直方向（視聴時）に回動させる場合に、表示画面支持部材に設けられた係合部材がロックレバーのガイド部に沿いながら回動されて第２係合部まで導かれるので、容易に、係合部材とロックレバーの第２係合部との係合状態を回復させることが可能である。したがって、ユーザが係合状態を回復させるための特別な操作を行うことなく、係合部材とロックレバーの第２係合部との係合状態を自動的に回復させることができる。
【発明を実施するための最良の形態】
【００２１】
以下、本発明を具体化した実施形態を図面に基づいて説明する。
【００２２】
（第１実施形態）
図１は、本発明の第１実施形態による表示画面旋回装置が設けられた液晶テレビジョンの全体構成を示した斜視図である。図２は、図１に示した本発明の第１実施形態による表示画面旋回装置が設けられた液晶テレビジョンの分解斜視図である。図３は、図１に示した本発明の第１実施形態による表示画面旋回装置の平面図である。図４〜図１４は、図１に示した本発明の第１実施形態による表示画面旋回装置の詳細構造を示した図である。まず、図１〜図１４を参照して、本発明の第１実施形態による表示画面旋回装置２０および表示画面旋回装置２０が設けられた液晶テレビジョン１００の構造について説明する。なお、第１実施形態では、表示装置の一例である液晶テレビジョン表示画面旋回装置に本発明を適用した場合について説明する。
【００２３】
本発明の第１実施形態による表示画面旋回装置２０は、図１に示すように、表示画面支持機構８０によって支持されている液晶テレビジョン１００のディスプレイ本体１０を水平面内で左右方向（矢印Ａ方向およびＢ方向）に所定の角度（第１実施形態では±３０度）旋回させるとともに、垂直面に対して前後方向（矢印Ｃ方向およびＤ方向）に所定の角度（第１実施形態では±１０度）傾けることを可能とするために設けられている。なお、ディスプレイ本体１０は、本発明の「表示画面部」の一例である。
【００２４】
また、表示画面旋回装置２０は、図３に示すように、表示画面支持機構８０（図２参照）によって支持されているディスプレイ本体１０（図２参照）を水平面内で左右方向（図１の矢印Ａ方向およびＢ方向）に旋回させるための台座部３０と、台座部３０に配置された後述する旋回板３１を左右方向（図１の矢印Ａ方向およびＢ方向）に旋回させるとともに旋回板３１の旋回角度を制御する水平旋回駆動部４０と、表示画面支持機構８０（図２参照）によって支持されているディスプレイ本体１０（図２参照）を垂直面に対して前後方向（図１の矢印Ｃ方向およびＤ方向）に所定の角度だけ旋回させるとともに表示画面支持機構８０（図２参照）の旋回角度を制御する垂直旋回駆動部５０とから構成されている。
【００２５】
また、台座部３０は、図３〜図５に示すように、表示画面支持機構８０（図２参照）が取り付けられる板金製の旋回板３１と、内部に複数（第１実施形態では１２個）の鋼球３２（図５参照）を所定の間隔（第１実施形態では３０度間隔）で配置するとともに鋼球３２（図５参照）を回転可能に保持する樹脂製のガイド部材３３（図５参照）と、板金製のベース部材３４と、旋回板３１をベース部材３４上で回動可能に支持する金属製の支持部材（図示せず）と、後述するギア４５およびギア５５の回動軸が回動可能に挿入されるとともに、後述する垂直旋回駆動部５０のラックプレート６０が水平面内で往復動可能に挿入される樹脂製のボス部材３５と、ボス部材３５に挿入されるラックプレート６０の抜止用リング部材３６とから構成されている。
【００２６】
ここで、第１実施形態では、垂直旋回駆動部５０は、図３および図５に示すように、複数のギア部材からなる伝達ギア部５１と、伝達ギア部５１の駆動源となるステッピングモータ５２と、台座部３０の旋回板３１上に取り付けられた表示画面支持機構８０に回動可能に設けられた後述する表示画面支持部材８１を垂直面に対して前後方向（図１の矢印Ｃ方向およびＤ方向）に回動させるためのラックプレート６０とから構成されている。また、垂直旋回駆動部５０は、図３〜図５に示すように、台座部３０の内部に配置されるように構成されている。なお、ステッピングモータ５２は、本発明の「駆動源」の一例である。
【００２７】
また、第１実施形態では、ラックプレート６０は、図５に示すように、板金製のプレート部材６１と、樹脂製のラックギア６２とから構成されている。また、ラックギア６２は、図５に示すように、１つのネジ９０によってプレート部材６１の下面側に取り付けられている。また、ラックギア６２は、図３に示すように、後述するギア５５の小径ギア部５５ｂに対して水平方向に噛合するように構成されている。また、プレート部材６１は、図５および図８に示すように、プレート部材６１の長手方向の両端部近傍に、プレート部材６１の長手方向に沿って延びる長孔６１ａおよび６１ｂがそれぞれ設けられるとともに、プレート部材６１の実質的に中央部に、プレート部材６１の長孔６１ａおよび６１ｂの延びる方向と実質的に直交する方向に延びる長孔形状の係合孔６１ｃが設けられている。なお、係合孔６１ｃは、本発明の「第１係合部」の一例である。また、図３および図４に示すように、ラックプレート６０が、プレート部材６１の長孔６１ａおよび６１ｂを介してベース部材３４に設けられた一対のボス部材３５にそれぞれ挿入された際に、ラックプレート６０は、矢印Ｐ方向および矢印Ｑ方向に往復移動（スライド）可能なように構成されている。したがって、ラックプレート６０は、ステッピングモータ５２の正逆回転が伝達ギア部５１を介してラックギア６２まで伝達されることによって、旋回板３１上を矢印Ｐ方向および矢印Ｑ方向に往復移動することが可能なように構成されている。また、プレート部材６１の係合孔６１ｃは、図３および図５に示すように、表示画面支持機構８０の後述する係合部材８７が係合孔６１ｃに対して上方から係合可能であるとともに、係合部材８７が係合孔６１ｃの内部で係合孔６１ｃの延びる方向（左右方向）に移動可能なように構成されている。
【００２８】
また、プレート部材６１は、図５および図８に示すように、２つの位置決め孔６１ｄと、ネジ取付孔６１ｅとを含んでいる。また、ラックギア６２は、図５および図９に示すように、長手方向の一方側面部に沿ってギア部６２ａが形成されるとともに、２つのボス６２ｂおよび１つのネジ挿入孔６２ｃが設けられている。したがって、図５に示すように、ラックギア６２のボス６２ｂをプレート部材６１の位置決め孔６１ｄに嵌め込むとともに、ネジ９０をラックギア６２のネジ挿入孔６２ｃを介してプレート部材６１のネジ取付孔６１ｅに締め込むことによって、ラックギア６２をプレート部材６１に下方から取り付けることが可能なように構成されている。
【００２９】
また、第１実施形態では、伝達ギア部５１は、図３に示すように、樹脂製のギア５３と、トルクリミッタ７０と、樹脂製のギア５４と、樹脂製のギア５５とが樹脂製のギアボックス５６の内部に配置されるように構成されている。また、トルクリミッタ７０は、図３および図６に示すように、樹脂製の従動側ギア７１と、樹脂製の原動側ギア７２と、金属製のバネ部材７３（コイルバネ）とから構成されている。また、トルクリミッタ７０は、図３に示すように、ステッピングモータ５２の駆動力が所定のトルク値以下の場合に、ステッピングモータ５２の駆動力を伝達ギア部５１およびラックギア６２を介してラックプレート６０を矢印Ｐ方向および矢印Ｑ方向に往復移動させることが可能であるとともに、ステッピングモータ５２の駆動力が所定のトルク値以上となった場合は、ステッピングモータ５２の駆動力をラックプレート６０の往復動作に伝達させないような機能を有するように構成されている。
【００３０】
また、図３および図６に示すように、樹脂製のギア５３は、大径ギア部５３ａと、小径ギア部５３ｂとを一体的に含んでいる。また、樹脂製のギア５４は、大径ギア部５４ａと、小径ギア部５４ｂとを一体的に含んでいる。さらに、樹脂製のギア５５は、大径ギア部５５ａと、小径ギア部５５ｂとを一体的に含んでいる。
【００３１】
また、第１実施形態では、図３および図５に示すように、ステッピングモータ５２の回転軸には、樹脂製のウォームギア５７が圧入されている。また、図３および図６に示すように、ウォームギア５７は、ギア５３の大径ギア部５３ａに対して回転軸が直交するように噛合されている。したがって、ステッピングモータ５２によって発生した駆動力は、ウォームギア５７を介してギア５３へと伝達される一方、ギア５３側およびギア５３以降のギア群によって発生した駆動力は、ウォームギア５７およびステッピングモータ５２を回転させることができないように構成されている。つまり、ウォームギア５７によってステッピングモータ５２側が発生する駆動力のみが、伝達ギア部５１へと伝達されるように構成されている。
【００３２】
また、図５および図６に示すように、ギア５３の小径ギア部５３ｂは、トルクリミッタ７０の原動側ギア７２のギア部７２ａに回転軸が平行に噛合されている。また、図５および図６に示すように、トルクリミッタ７０の従動側ギア７１のギア部７１ａは、ギア５４の大径ギア部５４ａに回転軸が平行に噛合されているとともに、ギア５４の小径ギア部５４ｂは、ギア５５の大径ギア部５５ａに回転軸が平行に噛合されている。また、図５および図６に示すように、ギア５５の小径ギア部５５ｂは、ラックギア６２のギア部６２ａに水平に噛合されている。したがって、図５および図６に示す上述のギア部材の配置関係から、ステッピングモータ５２の駆動力が、ウォームギア５７、ギア５３、トルクリミッタ７０、ギア５４、ギア５５およびラックギア６２を介してラックプレート６０へと伝達されるように構成されている。なお、図５および図６では、伝達ギア部５１の配置構成を説明するために、伝達ギア部５１およびステッピングモータ５２を内部に配置するためのギアボックス５６（図３参照）を図面から省略している。
【００３３】
また、台座部３０の旋回板３１は、図５および図１０に示すように、上面３１ａに設けられた４つのネジ取付孔３１ｂと、上面３１ａの中心部（旋回板３１の回動中心点近傍）に設けられた孔３１ｃとを含んでいる。また、図３に示すように、旋回板３１は、ベース部材３４の実質的に中央部に配置されるとともに、旋回板３１を円形状に取り囲むようにベース部材３４に設けられた複数の支持部材（図示せず）が、旋回板３１の外周面３１ｄ（図５参照）と、ガイド部材３３（図５参照）の外周面３３ａ（図５参照）とに面接触することによって回動可能に保持されている。
【００３４】
また、表示画面支持機構８０は、図２に示すように、台座部３０の旋回板３１のネジ取付孔３１ｂに４つのネジ９０によって固定されており、図１に示すように、ディスプレイ本体１０を表示画面旋回装置２０の垂直面に対して前後方向（矢印Ｃ方向およびＤ方向）に回動可能とするとともに、ディスプレイ本体１０を表示画面旋回装置２０の垂直面に対して前後方向（矢印Ｃ方向およびＤ方向）に所定の角度だけ傾斜させた状態で支持することが可能なように構成されている。
【００３５】
また、表示画面支持機構８０は、図２および図３に示すように、板金製の表示画面支持部材８１と、一対の垂直支持部材８２と、板金製の板状の支持軸８３と、板金製の抜止部材８４と、板金製の圧接板８５および８６と、ラックプレート６０の係合孔６１ｃに係合する係合部材８７とから構成されている。また、圧接板８５および８６には、支持軸８３を挿入するための長方形の穴部８５ａおよび８６ａがそれぞれ設けられている。また、表示画面支持部材８１は、図２に示すように、一対の垂直支持部材８２に所定のトルク以上で回動可能となるように取り付けられている。
【００３６】
また、板金製の表示画面支持部材８１は、図２に示すように、ディスプレイ本体取付部８１ａと、一対の回動部８１ｂとを一体的に含んでいる。また、表示画面支持部材８１のディスプレイ本体取付部８１ａには、４つのネジ挿入孔８１ｃが設けられている。また、表示画面支持部材８１の一対の回動部８１ｂは、ディスプレイ本体取付部８１ａの両側端部から、それぞれ、ディスプレイ本体取付部８１ａの表面に対して垂直方向に延びるように設けられている。また、図１０および図１２に示すように、一対の回動部８１ｂの回動中心部近傍には、ぞれぞれ、扇形状の穴部８１ｄが設けられている。また、表示画面支持部材８１は、図１０および図１２に示すように、ディスプレイ本体取付部８１ａから下方向に延びるとともに回動部８１ｂの外周を沿うようにアーム部８１ｅが一体的に形成されている。
【００３７】
ここで、第１実施形態では、図１０および図１２に示すように、アーム部８１ｅの最下部に位置するとともにアーム部８１ｅの実質的に中央部に、係合部材８７を取り付けるための取付孔８１ｆが設けられている。また、係合部材８７は、図１０に示すように、表示画面支持部材８１の水平面内の左右方向（矢印Ｇ１方向および矢印Ｇ２方向）の回動中心（旋回板３１の回動中心を示す）を通る垂直な線分３００（１点鎖線）上に配置されるように、取付孔８１ｆにかしめ加工によって取り付けられている。
【００３８】
また、扇形状の穴部８１ｄは、図１０および図１１に示すように、板状の支持軸８３を挿入するために設けられている。また、扇形状の穴部８１ｄは、図１２に示すように、円心側の根元部８１ｇが上側に位置するように配置されているとともに、円心側の根元部８１ｇが支持軸８３の上面と当接される。これにより、扇形状の穴部８１ｄの根元部８１ｇが表示画面支持部材８１を介してディスプレイ本体１０の垂直荷重を受けるように構成されている。また、扇形状の穴部８１ｄは、図１１および図１２に示すように、垂直方向から一方に開く角度α１（４５度）の中心角と他方に開く角度β１（５度）の中心角とを有する。また、表示画面支持部材８１は、板状の支持軸８３に支持された扇形状の穴部８１ｄの根元部８１ｇを中心にして、支持軸８３に対して扇形状の角度範囲（第１実施形態では、α１＋β１＝５０度）で回動可能に構成されている。すなわち、板状の支持軸８３は、表示画面支持部材８１の回動軸として機能する。
【００３９】
また、一対の垂直支持部材８２は、図１０および図１３に示すように、それぞれ、旋回板取付部８２ａと、回動部取付部８２ｂとを含んでいる。また、垂直支持部材８２の旋回板取付部８２ａには、４つのネジ取付孔８２ｃ（図３参照）が設けられている。また、垂直支持部材８２の回動部取付部８２ｂは、旋回板取付部８２ａの一方端部から旋回板取付部８２ａの表面に対して垂直方向の上方に延びるように設けられている。
【００４０】
また、図１３に示すように、垂直支持部材８２の回動部取付部８２ｂには、扇形状の穴部８２ｄが設けられている。また、扇形状の穴部８２ｄは、図１０および図１１に示すように、板状の支持軸８３を挿入するために設けられている。また、扇形状の穴部８２ｄは、図１３に示すように、円心側の根元部８２ｅが下側に位置するように配置されているとともに、支持軸８３の下面と当接される。これにより、扇形状の穴部８２ｄの根元部８２ｅが、表示画面支持部材８１および支持軸８３を介してディスプレイ本体１０の垂直荷重を受けるように構成されている。つまり、第１実施形態では、表示画面支持部材８１の穴部８１ｄの根元部８１ｇと、垂直支持部材８２の穴部８２ｄの根元部８２ｅとによってディスプレイ本体１０の垂直荷重を受けるように構成されている。また、扇形状の穴部８２ｄは、図１０および図１２に示すように、垂直方向から一方に開く角度α２（４５度）の中心角と他方に開く角度β２（５度）の中心角とを有する。また、支持軸８３は、扇形状の穴部８２ｄの根元部８２ｅを中心にして、垂直支持部材８２に対して扇形状の角度範囲（第１実施形態では、α２＋β２＝５０度）で回動可能に構成されている。
【００４１】
また、板金製の板状の支持軸８３は、図１０に示すように、一対の当接部８３ａと、長方形状の穴部８３ｂとを含んでいる。支持軸８３の一対の当接部８３ａは、支持軸８３の長手方向に延びる両側面の後端部に突出するように設けられている。この当接部８３ａは、図２および図１０に示すように、表示画面支持部材８１側の圧接板８６と当接させるために設けられている。また、支持軸８３の長方形状の穴部８３ｂは、図２および図１０に示すように、抜止部材８４を挿入するために設けられている。
【００４２】
また、図１４に示すように、板金製の抜止部材８４はテーパ形状の端面部８４ａと端面部８４ｂとを含むように形成されているとともに、長手方向に延びる一方側面８４ｃに設けられた面取部８４ｄと、長手方向に延びる他方側面８４ｅに設けられた面取部８４ｆとを含むように形成されている。また、図８に示すように、抜止部材８４の一方側面８４ｃの長さＬ１は、他方側面８４ｅの長さＬ２より短く設けられ、端面部８４ａと端面部８４ｂとの距離（抜止部材８４の厚み方向Ｈ１と直交する方向Ｈ２の長さ）が、Ｌ１からＬ２へ直線的に変化するように構成されている。このように抜止部材８４がテーパ形状（クサビ形状）に形成されていることによって、図２に示すように、抜止部材８４が、板状の支持軸８３に設けられた長方形状の穴部８３ｂ（図１０参照）に挿入した際に、容易に抜け落ちることを抑制するために設けられている。また、面取部８４ｂは、抜止部材８４を支持軸８３に設けられた長方形状の穴部８３ｂ（図１０参照）に挿入しやすくするために設けられている。
【００４３】
また、水平旋回駆動部４０は、図３および図５に示すように、台座部３０上の旋回板３１を水平面内で左右方向（図１の矢印Ａ方向およびＢ方向）に回動させるための伝達ギア部４１と、伝達ギア部４１の駆動源となるステッピングモータ４２とから構成されている。また、水平旋回駆動部４０は、図３および図４に示すように、台座部３０の内部に配置されるように構成されている。また、伝達ギア部４１は、図３に示すように、樹脂製のギア４３と、トルクリミッタ７５と、樹脂製のギア４４と、樹脂製のギア４５とが樹脂製のギアボックス４６に配置されるように構成されている。
【００４４】
また、図５に示すように、ステッピングモータ４２の回転軸には、樹脂製のウォームギア４７が圧入されている。また、図５および図７に示すように、ギア４３は、大径ギア部４３ａと、小径ギア部４３ｂとを一体的に含んでいる。また、ギア４４は、大径ギア部４４ａと、小径ギア部４４ｂとを一体的に含んでいる。さらに、ギア４５は、大径ギア部４５ａと、小径ギア部４５ｂとを一体的に含んでいる。また、図３および図５に示すように、台座部３０の旋回板３１の上面３１ａには、樹脂製の旋回ギア部材４８が、４つのネジ９０によって固定されている。なお、図５および図７では、伝達ギア部４１の配置構成を説明するために、伝達ギア部４１およびステッピングモータ４２を内部に配置するためのギアボックス４６（図３参照）を図面から省略している。
【００４５】
また、図５および図７に示すように、ウォームギア４７は、ギア４３の大径ギア部４３ａに対して回転軸が直交するように噛合されているとともに、ギア４３の小径ギア部４３ｂは、トルクリミッタ７５の原動側ギア７７のギア部７７ａに回転軸が平行に噛合されている。また、図５および図７に示すように、トルクリミッタ７５の従動側ギア７６のギア部７６ａは、ギア４４の大径ギア部４４ａに回転軸が平行に噛合されているとともに、ギア４４の小径ギア部４４ｂは、ギア４５の大径ギア部４５ａに回転軸が平行に噛合されている。また、図５および図７に示すように、ギア４５の小径ギア部４５ｂは、旋回ギア部材４８の旋回ギア部４８ａに回転軸が平行に噛合されている。したがって、図５および図７に示す上述のギア部材の配置関係から、ステッピングモータ４２の駆動力が、ウォームギア４７、ギア４３、トルクリミッタ７５、ギア４４、ギア４５および旋回ギア部材４８を介して旋回板３１へと伝達されるように構成されている。
【００４６】
また、トルクリミッタ７５は、図３および図７に示すように、樹脂製の従動側ギア７６と、樹脂製の原動側ギア７７と、金属製のバネ部材７８（コイルバネ）とから構成されている。また、トルクリミッタ７５は、図３に示すように、ステッピングモータ４２の駆動力が所定のトルク値以下の場合に、ステッピングモータ４２の駆動力を伝達ギア部４１を介して台座部３０の旋回板３１に伝達することによって旋回板３１を表示画面旋回装置２０の内部で旋回させることが可能であるとともに、ステッピングモータ４２の駆動力が所定のトルク値以上となった場合は、ステッピングモータ４２の駆動力を台座部３０の旋回板３１に伝達させないような機能を有するように構成されている。
【００４７】
また、図１および図２に示すように、ディスプレイ本体１０は、樹脂製のフロントキャビネット１１と、樹脂製のリアキャビネット１２とから構成されている。また、ディスプレイ本体１０の内部には、液晶パネル１３（図４参照）が取り付けられた液晶モジュール１４（図４参照）が、フロントキャビネット１１およびリアキャビネット１２とによって取り囲まれるように構成されている。また、ディスプレイ本体１０は、表示画面支持部材８１のネジ挿入孔８１ａを介して、リアキャビネット１２のネジ取付孔（図示せず）にネジ９０が締め付けられることにより、表示画面支持部材８１に取り付けられている。また、リアキャビネット１２には、表示画面支持部材８１を覆い隠して配置するための切欠部１２ａが一体的に設けられている。また、リアキャビネット１２の外周部には、複数のネジ挿入孔１２ｂ（第１実施形態では７個所）が設けられ、ネジ９１によってフロントキャビネット１１に取り付けられるように構成されている。また、リアキャビネット１２の側面部１２ｃには、図２に示すように、短形状の凹部１２ｄが形成されており、その凹部１２ｄには、複数の貫通孔１２ｅが形成されている。この複数の貫通孔１２ｅは、液晶モジュール１３を制御するための制御基板（図示せず）に接続されたＡＶ端子（図示せず）からケーブル類をディスプレイ本体１０の外部機器に接続するために設けられている。
【００４８】
また、表示画面旋回装置２０には、図１および図４に示すように、樹脂製のカバー部材２１が、台座部３０のベース部材３４の下面側から挿入されたネジ（図示せず）によってベース部材３４に取り付けられている。また、図１および図４に示すように、樹脂製のカバー部材２２が上方から台座部３０を覆うとともに、台座部３０の旋回板３１と一体的に水平方向（図１の矢印Ａ方向およびＢ方向）に旋回することが可能なように旋回板３１の上面３１ａにネジ（図示せず）によって取り付けられている。また、図２および図４に示すように、樹脂製のカバー部材２２には、表示画面支持機構８０（表示画面支持部材８１）を前後方向（図１の矢印Ｃ方向およびＤ方向）に回動可能に配置するための切欠部２２ａが設けられている。
【００４９】
図１５〜図２５は、図１に示した本発明の第１実施形態による表示画面旋回装置の垂直方向および水平方向の旋回動作を説明するための図である。次に、図１、図３、図４、図６、図７、図１０、図１１および図１５〜図２５を参照して、第１実施形態による表示画面旋回装置２０の前後方向および左右方向の旋回動作について説明する。
【００５０】
なお、図４に示すように、表示画面旋回装置２０が表示画面支持機構８０を垂直面に対して前後方向（矢印Ｃ方向および矢印Ｄ方向）に回動させた場合、ディスプレイ本体１０の液晶パネル１３は、上向き方向（上方向）および下向き方向（下方向）に回動されるので、以降の動作説明では、前後方向を上下方向として記述する。
【００５１】
まず、表示画面旋回装置２０の上下方向（図１の矢印Ｃ方向および矢印Ｄ方向）の旋回動作について説明する。
【００５２】
図３に示すように、表示画面支持部材８１が台座部３０上の旋回板３１に対して垂直であるとともに正面を向いた状態（旋回ギア部材４８の旋回ギア部４８ａの中央部がギア４５の小径ギア部４５ｂと噛合している状態）から、ユーザが付属リモコン（図示せず）の上方向チルトボタン（図示せず）を押圧することによって、ディスプレイ本体１０（図１参照）を上方向（図１の矢印Ｃ方向）に旋回させる信号がディスプレイ本体１０の制御回路部（図示せず）に送信される。この信号に基づいて、表示画面旋回装置２０のステッピングモータ５２が駆動される。具体的には、図３に示すように、ステッピングモータ５２が駆動するのに伴って、ステッピングモータ５２に取り付けられたウォームギア５７が矢印Ｅ１方向（図６参照）に回転するとともに、ギア５３を介してトルクリミッタ７０の原動側ギア７２が矢印Ｅ３方向に回転する。そして、図３に示すように、トルクリミッタ７０の従動側ギア７１が同じく矢印Ｅ３方向に回転するとともに、ギア５４を介してギア５５が矢印Ｅ５方向に回転する。
【００５３】
ここで、第１実施形態では、図３に示すように、ギア５５の矢印Ｅ５方向への回転に伴い、ギア５５に対して水平方向に噛合するラックギア６２とともにラックプレート６０のプレート部材６１が矢印Ｐ方向に移動を開始する。これにより、図４に示すように、プレート部材６１の係合孔６１ｃに係合された表示画面支持部材８１の係合部材８７が、矢印Ｃ方向に回動を開始するので、表示画面支持部材８１に取り付けられたディスプレイ本体１０は、上方向（矢印Ｃ方向）へ旋回を開始する。
【００５４】
その際、図１１に示すように、表示画面支持部材８１の扇状の穴部８１ｄの根元部８１ｇと支持軸８３の上面とが当接しながら、表示画面支持部材８１と支持軸８３とが一体的に垂直支持部材８２の扇状の穴部８２ｄの根元部８２ｅを回動中心として、矢印Ｃ方向に回動する。そして、ステッピングモータ５２（図３参照）の駆動に伴って、図１６に示すように、ディスプレイ本体１０が取り付けられた表示画面支持部材８１が所定の旋回速度で矢印Ｃ方向への旋回を継続する。
【００５５】
そして、ディスプレイ本体１０が、ユーザが所望する角度まで図４の矢印Ｃ方向に旋回された場合、ユーザは付属リモコン（図示せず）の上方向チルトボタン（図示せず）の押圧を解除することによって、ディスプレイ本体１０（図１参照）を上方向（図４の矢印Ｃ方向）に旋回させる信号がディスプレイ本体１０の制御回路部（図示せず）に送信されなくなる。したがって、ステッピングモータ５２の駆動が停止される。これにより、表示画面支持部材８１は、図１６に示すような位置で矢印Ｃ方向への旋回を停止するとともに静止される。
【００５６】
また、ディスプレイ本体１０（図１６参照）の上方向（図１６の矢印Ｃ方向）への旋回動作がユーザによって継続されている状態において、図１５に示すように、ラックプレート６０が矢印Ｐ方向にスライドされるとともに、プレート部材６１の長孔６１ａおよび６１ｂの内側面の一方端部がボス部材３５の側面にそれぞれ当接することによって、ラックプレート６０は、矢印Ｐ方向へのスライドが抑制される。この際、図１７に示すように、表示画面支持部材８１は所定の旋回角度（第１実施形態では１０度）に到達される。したがって、ディスプレイ本体１０は、図１７に示すような位置で矢印Ｃ方向への旋回を停止するとともに、この位置で静止される。この際、ステッピングモータ５２（図１５参照）は駆動を継続しているので、ステッピングモータ５２（図１５参照）から伝達される駆動トルクがウォームギア５７（図１５参照）およびギア５３（図１５参照）を介して、トルクリミッタ７０（図１５参照）の原動側ギア７２（図１５参照）まで伝達される。
【００５７】
なお、図６に示すように、原動側ギア７２は、バネ部材７３によって予め設定された付勢力で従動側ギア７１に圧接されているために、バネ部材７３の圧接力に伴う原動側ギア７２の内周面と、従動側ギア７１の外周面との摩擦力以上の駆動トルクが原動側ギア７２に対して発生した場合は、原動側ギア７２の内周面と、従動側ギア７１の外周面とがスリップを起こすことによって、原動側ギア７２の駆動トルクが従動側ギア７１に伝達されない。つまり、図１５に示すように、ラックプレート６０の矢印Ｐ方向への移動（スライド）が停止した場合、従動側ギア７１、ギア５４およびギア５５は、原動側ギア７２の回転に関係なく回転が停止される。
【００５８】
また、図３に示すように、表示画面支持部材８１が台座部３０上の旋回板３１に対して垂直であるとともに正面を向いた状態から、ユーザが付属リモコン（図示せず）の下方向チルトボタン（図示せず）を押圧することによって、ディスプレイ本体１０（図１参照）を下方向（図１の矢印Ｄ方向）に旋回させる信号がディスプレイ本体１０の制御回路部（図示せず）に送信されるとともに、表示画面旋回装置２０のステッピングモータ５２が駆動される。具体的には、図３に示すように、ステッピングモータ５２が駆動するのに伴って、ステッピングモータ５２に取り付けられたウォームギア５７が矢印Ｆ１方向（図６参照）に回転するとともに、ギア５３を介してトルクリミッタ７０の原動側ギア７２が矢印Ｆ３方向に回転する。そして、図３に示すように、トルクリミッタ７０の従動側ギア７１が矢印Ｆ３方向に回転するとともに、ギア５４を介してギア５５が矢印Ｆ５方向に回転する。そして、図３に示すように、ラックギア６２とともにラックプレート６０が矢印Ｑ方向に移動する。これにより、図４に示すように、ラックプレート６０の係合孔６１ｃに係合された係合部材８７が矢印Ｄ方向に回動を開始するので、表示画面支持部材８１に取り付けられたディスプレイ本体１０は、所定の回転速度で下方向（矢印Ｄ方向）へ旋回を開始する。
【００５９】
その際、図１１に示すように、表示画面支持部材８１の扇状の穴部８１ｄの根元部８１ｇと支持軸８３の上面とが当接しながら、表示画面支持部材８１と支持軸８３とが一体的に垂直支持部材８２の扇状の穴部８２ｄの根元部８２ｅを回動中心として、矢印Ｄ方向に回動を開始する。また、表示画面支持部材８１と支持軸８３とが５度（図１１の角度β２）回動されると、図１９に示すように、支持軸８３は、垂直支持部材８２の扇形状の穴部８２ｄの他方縁に当接する。この状態で、表示画面支持部材８１が矢印Ｄ方向に更に回動されると、図１９に示すように、表示画面支持部材８１が、扇状の穴部８１ｄの根元部８１ｅを回動中心として支持軸８３に対して矢印Ｄ方向への回動をさらに継続する。
【００６０】
そして、ディスプレイ本体１０が、ユーザが所望する角度まで図４の矢印Ｄ方向に旋回された場合、ユーザは付属リモコン（図示せず）の下方向チルトボタン（図示せず）の押圧を解除することによって、ディスプレイ本体１０（図４参照）を下方向（図４の矢印Ｄ方向）に旋回させる信号がディスプレイ本体１０の制御回路部（図示せず）に送信されなくなり、ステッピングモータ５２の駆動が停止される。これにより、表示画面支持部材８１は、図１９に示すような位置で矢印Ｄ方向への旋回を停止するとともに静止される。
【００６１】
また、ディスプレイ本体１０（図１９参照）の矢印Ｄ方向（図１９参照）への旋回動作がユーザによって継続されている状態において、図２０に示すように、支持軸８３が、表示画面支持部材８１の扇状の穴部８１ｄの他方縁に当接することによって、表示画面支持部材８１は所定の旋回角度（第１実施形態では１０度）に到達されるとともに、矢印Ｄ方向への回動が規制される。また、この際、図１８に示すように、矢印Ｑ方向にスライドされたラックプレート６０が、プレート部材６１の長孔６１ａおよび６１ｂの内側面の他方端部がボス部材３５の側面にそれぞれ当接されることによって、ラックプレート６０は、矢印Ｑ方向へのスライドが抑制される。したがって、ディスプレイ本体１０は、図２０に示すような位置で矢印Ｄ方向への旋回を停止するとともに、この位置で静止される。この際、ステッピングモータ５２（図１８参照）は駆動を継続しているので、ステッピングモータ５２（図１８参照）から伝達される駆動トルクがウォームギア５７（図１８参照）およびギア５３（図１８参照）を介して、トルクリミッタ７０（図１８参照）の原動側ギア７２（図１８参照）まで伝達される。
【００６２】
なお、図６に示すように、ディスプレイ本体１０（図１６参照）が上方向（図１６の矢印Ｃ方向）で旋回動作を停止された場合と同様に、原動側ギア７２は、バネ部材７３によって予め設定された付勢力で従動側ギア７１に圧接されているために、バネ部材７３の圧接力に伴う原動側ギア７２の内周面と、従動側ギア７１の外周面との摩擦力以上の駆動トルクが原動側ギア７２に対して発生した場合は、原動側ギア７２の内周面と、従動側ギア７１の外周面とがスリップを起こすことによって、原動側ギア７２の駆動トルクが従動側ギア７１に伝達されない。つまり、図１８に示すように、ラックプレート６０の矢印Ｑ方向への移動（スライド）が停止した場合、従動側ギア７１、ギア５４およびギア５５は、原動側ギア７２の回転に関係なく回転が停止される。
【００６３】
次に、表示画面旋回装置２０の水平面内における左右方向の旋回動作について説明する。
【００６４】
まず、図３および図４に示すように、表示画面支持部材８１が台座部３０上の旋回板３１に対して垂直であるとともに正面を向いた状態から、ユーザが付属リモコン（図示せず）の水平ターンボタン（図示せず）を押圧することによって、ディスプレイ本体１０（図１参照）を右方向（図１の矢印Ａ方向）に旋回させる信号がディスプレイ本体１０の制御回路部（図示せず）に送信されるとともに、表示画面旋回装置２０のステッピングモータ４２が駆動される。具体的には、図３に示すように、ステッピングモータ４２が駆動するのに伴って、ステッピングモータ４２に取り付けられたウォームギア４７が矢印Ｅ６方向（図７参照）に回転するとともに、ギア４３を介してトルクリミッタ７５の原動側ギア７７が矢印Ｅ８方向に回転する。そして、トルクリミッタ７５の従動側ギア７６が矢印Ｅ８方向に回転するとともに、ギア４４およびギア４５を介して、旋回ギア部材４８が矢印Ｅ１１方向に回転する。これにより、図３に示すように、表示画面支持部材８１が取り付けられた台座部３０上の旋回板３１が矢印Ｇ１方向に旋回を開始するので、ディスプレイ本体１０（図１参照）は、右方向（図１の矢印Ａ方向）へ旋回を開始する。
【００６５】
そして、図２１に示すように、ディスプレイ本体１０（図１参照）が載置された台座部３０上の旋回板３１が所定の回転速度で右方向（図１の矢印Ａ方向）への旋回を継続する。なお、図２１では、旋回板３１の水平方向の旋回動作を説明するために、垂直旋回駆動部５０（図３参照）を図面から省略している。
【００６６】
ここで、第１実施形態では、図１０に示すように、表示画面支持部材８１の係合部材８７は、旋回板３１および表示画面支持部材８１の左右方向（矢印Ｇ１方向および矢印Ｇ２方向）の回動中心上に位置しているので、係合部材８７は、旋回板３１の旋回動作に関係なく回動中心上を移動されない。したがって、図２３に示すように、係合部材８７に係合されたラックプレート６０も、矢印Ｐ方向および矢印Ｑ方向への直線的な移動（スライド）が行われない。
【００６７】
そして、ディスプレイ本体１０が、ユーザが所望する角度まで旋回された場合、ユーザは付属リモコン（図示せず）の水平ターンボタン（図示せず）の押圧を解除することによって、ディスプレイ本体１０（図１参照）を右方向（図１の矢印Ａ方向）に旋回させる信号がディスプレイ本体１０の制御回路部（図示せず）に送信されなくなり、ステッピングモータ４２の駆動が停止される。これにより、台座部３０は、図２１に示すような位置で矢印Ｇ１方向への旋回を停止するとともに静止される。
【００６８】
また、ディスプレイ本体１０（図１参照）の右方向（図１の矢印Ａ方向）への旋回動作がユーザによって継続されている状態において、台座部３０の旋回角度が最大（第１実施形態では３０度）となった場合は、旋回板３１は台座部３０の内部に設けられたストッパ部材（図示せず）に当接することによって、矢印Ａ方向（図１参照）への旋回動作が規制される。したがって、台座部３０は、図２２に示すような位置で矢印Ｇ１方向への旋回を停止するとともに静止される。この際、ステッピングモータ４２（図２２参照）は駆動を継続しているので、ステッピングモータ４２（図２２参照）から伝達される駆動トルクがウォームギア４７（図２２参照）およびギア４３（図２２参照）を介して、トルクリミッタ７５（図２２参照）の原動側ギア７７（図２２参照）まで伝達される。
【００６９】
なお、図７に示すように、原動側ギア７７は、バネ部材７８によって予め設定された付勢力で従動側ギア７６に圧接されているために、バネ部材７８の圧接力に伴う原動側ギア７７の内周面と、従動側ギア７６の外周面との摩擦力以上の駆動トルクが原動側ギア７７に対して発生した場合は、原動側ギア７７の内周面と、従動側ギア７６の外周面とがスリップを起こすことによって、原動側ギア７７の駆動トルクが従動側ギア７６に伝達されない。つまり、旋回板３１がストッパ部材（図示せず）に当接した場合は、従動側ギア７６、ギア４４、ギア４５および旋回ギア部材４８は、原動側ギア７７の回転に関係なく回転が停止される。なお、図２２では、図２１と同様に旋回板３１の水平方向の旋回動作を説明するために、垂直旋回駆動部５０（図３参照）を図面から省略している。
【００７０】
なお、上記の旋回動作は、台座部３０を図２１および図２２に示す矢印Ｇ１方向に旋回させる際について説明したが、矢印Ｇ１方向とは反対の矢印Ｇ２方向へ旋回板３１を旋回させる旋回動作の際も、水平旋回駆動部４０によって上記と同様の旋回動作が行われるために、旋回板３１が矢印Ｇ２方向へ旋回されることによって、ディスプレイ本体１０（図１参照）は左方向（図１の矢印Ｂ方向）に旋回される。
【００７１】
次に、図４に示すように、台座部３０上に垂直に載置されたディスプレイ本体１０が左右方向（図１の矢印Ａ方向および矢印Ｂ方向）に所定の角度だけ旋回された状態で、さらに、ディスプレイ本体１０（図１参照）が上下方向（図１の矢印Ｃ方向および矢印Ｄ方向）に旋回される場合の旋回動作について説明する。
【００７２】
まず、図２３に示すように、ユーザによって台座部３０上の旋回板３１が右方向（矢印Ｇ１方向）に所定の角度旋回されるとともにその位置で旋回動作が停止された状態において、付属リモコン（図示せず）の上方向チルトボタン（図示せず）を押圧することによって、上述と同様に、垂直旋回駆動部５０（図３参照）が駆動を開始する。つまり、ラックプレート６０は、図２３に示した位置から図２４に示すように、矢印Ｐ方向に移動（スライド）を開始する。なお、図２３および図２４では、ラックプレート６０および表示画面支持機構８０の係合部材８７の動作を説明するために、水平旋回駆動部４０（図３参照）および垂直旋回駆動部５０（図３参照）の一部を除いて図面から省略している。
【００７３】
ここで、第１実施形態では、図２４に示すように、ラックプレート６０の矢印Ｐ方向への移動に伴って、係合部材８７も位置Ｒ（ディスプレイ本体１０が垂直に載置されたときの係合部材８７の位置を２点鎖線（想像線）の外形形状として示している）から徐々に矢印Ｓ方向に移動（回動）される。したがって、図１６に示すように、ラックプレート６０の係合孔６１ｃに係合された係合部材８７は矢印Ｃ方向に回動されるので、表示画面支持部材８１に取り付けられたディスプレイ本体１０は、上方向（矢印Ｃ方向）へ旋回を開始する。
【００７４】
その際、前述と同様に、図１１に示すように、表示画面支持部材８１の扇状の穴部８１ｄの根元部８１ｇと支持軸８３の上面とが当接しながら、表示画面支持部材８１と支持軸８３とが一体的に垂直支持部材８２の扇状の穴部８２ｄの根元部８２ｅを回動中心として、矢印Ｃ方向に回動する。そして、ステッピングモータ５２（図３参照）の駆動に伴って、図１６に示すように、ディスプレイ本体１０が取り付けられた表示画面支持部材８１が所定の旋回速度で矢印Ｃ方向への旋回を継続する。
【００７５】
そして、ディスプレイ本体１０が、ユーザが所望する角度まで図４の矢印Ｃ方向に旋回された場合、ユーザは付属リモコン（図示せず）の上方向チルトボタン（図示せず）の押圧を解除することによって、ディスプレイ本体１０（図１参照）を上方向（図４の矢印Ｃ方向）に旋回させる信号がディスプレイ本体１０の制御回路部（図示せず）に送信されなくなる。したがって、ステッピングモータ５２の駆動が停止される。これにより、表示画面支持部材８１は、図１６に示すような位置で矢印Ｃ方向への旋回を停止するとともに静止される。
【００７６】
また、ディスプレイ本体１０（図１６参照）の上方向（図１６の矢印Ｃ方向）への旋回動作がユーザによって継続されている状態において、図２４に示すように、ラックプレート６０が矢印Ｐ方向にスライドされるとともに、プレート部材６１の長孔６１ａおよび６１ｂの内側面の一方端部がボス部材３５の側面にそれぞれ当接することによって、ラックプレート６０は、矢印Ｐ方向へのスライドが抑制される。この際、図１７に示すように、表示画面支持部材８１は所定の旋回角度（第１実施形態では１０度）に到達される。したがって、ディスプレイ本体１０は、図１７に示すような位置で矢印Ｃ方向への旋回を停止するとともに静止される。この際、ステッピングモータ５２（図１５参照）は駆動を継続しているので、ステッピングモータ５２（図１５参照）から伝達される駆動トルクがウォームギア５７（図１５参照）およびギア５３（図１５参照）を介して、トルクリミッタ７０（図１５参照）の原動側ギア７２（図１５参照）まで伝達されるが、トルクリミッタ７０（図１５参照）によって従動側ギア７１（図１５参照）には伝達されない。つまり、図１５に示すように、ラックプレート６０の矢印Ｑ方向への移動（スライド）が停止した場合、従動側ギア７１、ギア５４およびギア５５は、原動側ギア７２の回転に関係なく回転が停止される。
【００７７】
また、図２２に示すように、ユーザによって台座部３０上の旋回板３１が右方向（矢印Ｇ１方向）に所定の角度旋回されるとともにその位置で旋回動作が停止された状態で、付属リモコン（図示せず）の下方向チルトボタン（図示せず）を押圧することによって、上述と同様に、垂直旋回駆動部５０が駆動を開始する。つまり、ラックプレート６０は、図２５に示すように、矢印Ｑ方向にスライドを開始する。なお、図２５では、図２４と同様に、ラックプレート６０および表示画面支持機構８０の係合部材８７の動作を説明するために、水平旋回駆動部４０（図３参照）および垂直旋回駆動部５０（図３参照）の一部を除いて図面から省略している。
【００７８】
ここで、第１実施形態では、図２５に示すように、ラックプレート６０の矢印Ｑ方向への移動に伴って、係合部材８７も位置Ｒ（ディスプレイ本体１０が垂直に載置されたときの係合部材８７の位置を２点鎖線（想像線）の外形形状として示している）から徐々に矢印Ｔ方向に移動（回動）される。したがって、図１９に示すように、ラックプレート６０の係合孔６１ｃに係合された係合部材８７が矢印Ｄ方向に回動されるので、表示画面支持部材８１に取り付けられたディスプレイ本体１０は、下方向（矢印Ｄ方向）へ旋回を開始する。
【００７９】
その際、図１１に示すように、表示画面支持部材８１の扇状の穴部８１ｄの根元部８１ｇと支持軸８３の上面とが当接しながら、表示画面支持部材８１と支持軸８３とが一体的に垂直支持部材８２の扇状の穴部８２ｄの根元部８２ｅを回動中心として、矢印Ｄ方向に回動を開始する。また、表示画面支持部材８１と支持軸８３とが５度（図１１の角度β２）回動されると、図１９に示すように、支持軸８３は、垂直支持部材８２の扇形状の穴部８２ｄの他方縁に当接する。この状態で、表示画面支持部材８１が矢印Ｄ方向に更に回動されると、図１９に示すように、表示画面支持部材８１が、扇状の穴部８１ｄの根元部８１ｅを回動中心として支持軸８３に対して矢印Ｄ方向への回動をさらに継続する。
【００８０】
そして、ディスプレイ本体１０が、ユーザが所望する角度まで図４の矢印Ｄ方向に旋回された場合、ユーザは付属リモコン（図示せず）の下方向チルトボタン（図示せず）の押圧を解除することによって、ディスプレイ本体１０（図４参照）を下方向（図４の矢印Ｄ方向）に旋回させる信号がディスプレイ本体１０の制御回路部（図示せず）に送信されなくなり、ステッピングモータ５２の駆動が停止される。これにより、表示画面支持部材８１は、図１９に示すような位置で矢印Ｄ方向への旋回を停止するとともに静止される。
【００８１】
また、旋回動作が継続されている状態において、図２０に示すように、支持軸８３が、表示画面支持部材８１の扇状の穴部８１ｄの他方縁に当接することによって、表示画面支持部材８１は所定の旋回角度（第１実施形態では１０度）に到達されるとともに、矢印Ｄ方向への回動が規制される。また、この際、図１８に示すように、矢印Ｑ方向にスライドされたラックプレート６０が、プレート部材６１の長孔６１ａおよび６１ｂの内側面の他方端部がボス部材３５の側面にそれぞれ当接されることによって、ラックプレート６０は、矢印Ｑ方向へのスライドが抑制される。したがって、ディスプレイ本体１０は、図２０に示すような位置で矢印Ｄ方向への旋回を停止するとともに静止される。また、この際、前述と同様にステッピングモータ５２（図１８参照）は駆動を継続しているので、ステッピングモータ５２（図１８参照）から伝達される駆動トルクがウォームギア５７（図１８参照）およびギア５３（図１８参照）を介して、トルクリミッタ７０（図１８参照）の原動側ギア７２（図１８参照）まで伝達されるが、トルクリミッタ７０（図１８参照）によって従動側ギア７１（図１８参照）には伝達されない。つまり、図１８に示すように、ラックプレート６０の矢印Ｑ方向への移動（スライド）が停止した場合、従動側ギア７１、ギア５４およびギア５５は、原動側ギア７２の回転に関係なく回転が停止される。
【００８２】
なお、上記の表示画面支持部材８１の垂直旋回動作は、旋回部３１を図２４および図２５に示す矢印Ｇ１方向に所定の角度旋回させた状態における垂直旋回動作ついて説明したが、旋回部３１を矢印Ｇ１方向とは反対の矢印Ｇ２方向に所定の角度旋回させた状態においても、表示画面支持部材８１は垂直旋回駆動部５０によって上記と同様の旋回動作が行われることによって、ディスプレイ本体１０（図１参照）は矢印Ｄ方向（図１参照）に旋回される。
【００８３】
また、上記の動作説明では、台座部３０上に垂直に載置されたディスプレイ本体１０がまず左右方向（図１の矢印Ａ方向および矢印Ｂ方向）に所定の角度だけ旋回された状態にあり、次にディスプレイ本体１０（図１参照）が上下方向（図１の矢印Ｃ方向および矢印Ｄ方向）に旋回される場合の旋回動作を説明しているが、これとは反対に、先にディスプレイ本体１０（図１参照）が上下方向（図１の矢印Ｃ方向および矢印Ｄ方向）に旋回された状態で、次に左右方向（図１の矢印Ａ方向および矢印Ｂ方向）に所定の角度だけ旋回される場合についても、水平旋回駆動部４０（図３参照）および垂直旋回駆動部５０（図３参照）は上記と同様の動作によって、ディスプレイ本体１０をユーザの所望する位置に旋回させることが可能である。
【００８４】
第１実施形態では、上記のように、台座部３０の内部に配置されたステッピングモータ５２と、台座部３０の内部に配置され、ステッピングモータ５２の駆動力を伝達するための伝達ギア部５１とを備えるように構成することによって、小型化が困難な伝達ギア部５１と伝達ギア部５１の駆動源であるステッピングモータ５２とを共に台座部３０の外部に配置する場合と異なり、伝達ギア部５１と伝達ギア部５１の駆動源であるステッピングモータ５２とを共に台座部３０の内部に収納することができるので、サイズの大きな伝達ギア部５１を設計上容易に配置することができる。
【００８５】
また、第１実施形態では、係合部材８７が設けられ、水平面内で回動可能でかつ垂直面に対して回動可能にディスプレイ本体１０を支持する表示画面支持部材８１と、台座部３０側に配置され、表示画面支持部材８１の係合部材８７が係合される係合孔６１ｃと、伝達ギア部５１のギア５５と水平方向に噛合するラックギア６２とを含むラックプレート６０とを備えるとともに、ステッピングモータ５２の正逆回転（図６の矢印Ｅ１方向および矢印Ｆ１方向の回転）によりラックプレート６０が水平面内で矢印Ｐ方向および矢印Ｑ方向（図３参照）に往復移動されることに伴い、ラックプレート６０の係合孔６１ｃに係合された表示画面支持部材８１の係合部材８７が矢印Ｃ方向（図４参照）および矢印Ｄ方向（図４参照）回動されることにより、表示画面支持部材８１が垂直面に対して所定の角度上下方向（図１の矢印Ｃ方向および矢印Ｄ方向）に回動されるように構成することによって、ディスプレイ本体１０の自重は、ディスプレイ本体１０の静止時および旋回動作時に関係なく、表示画面支持部材８１を介して旋回板３１に加えられる一方、ラックプレート６０およびラックギア６２を介して水平方向に噛合されたギア部５５を含めた伝達ギア部５１へは加えられないので、伝達ギア部５１によるステッピングモータ５２の駆動力の伝達を円滑に行うことができる。
【００８６】
また、第１実施形態では、伝達ギア部５１を、ステッピングモータ５２の駆動力が所定値を超えた場合に、ステッピングモータ５２の駆動力を遮断するトルクリミッタ７０を含むように構成することによって、ディスプレイ本体１０が垂直方向に旋回している際に不意な外力などによって旋回動作が阻止された場合や、ディスプレイ本体１０が旋回角度範囲の最大値に到達して旋回動作が停止された場合は、回転が継続されているステッピングモータ５２の駆動力をトルクリミッタ７０によって遮断することができるので、ステッピングモータ５２の駆動力が伝達ギア部５１に伝達されない。したがって、ステッピングモータ５２の駆動力が所定のトルク値を超えた場合の無理な回転に伴う伝達ギア５１の破損を抑制することができる。
【００８７】
また、第１実施形態では、ステッピングモータ５２を、ステッピングモータ５２の駆動軸に圧入されたウォームギア５７を介してステッピングモータ５２の駆動力を伝達ギア部５１に伝達するように構成することによって、不意な外力などによってディスプレイ本体１０が回動されることに伴い伝達ギア部５１が、ギア５５、ギア５４、トルクリミッタ７０およびギア５３の順に順次駆動された場合でも、ギア５５、ギア５４、トルクリミッタ７０およびギア５３の回転がウォームギア５７を回転させることはできないので、ステッピングモータ５２以外の駆動力によってステッピングモータ５２が逆に駆動されてしまうことを抑制することができる。
【００８８】
また、第１実施形態では、係合部材８７を、表示画面支持部材８１の水平面内での回動方向（図３の矢印Ｇ１方向および矢印Ｇ２方向）の回動中心を通る垂直な線分３００（図４の１点鎖線）上に設けられるように構成することによって、ディスプレイ本体１０が水平面内で左右方向（図１の矢印Ａ方向および矢印Ｂ方向）に旋回された場合でも、係合部材８７は表示画面支持部材８１の水平面内の回動中心上に位置するので、ラックプレート６０は水平面内での移動方向（図３の矢印Ｐ方向および矢印Ｑ方向）と交差する方向に動かされることはなく、係合部材８７とラックプレート６０の係合孔６１ｃとの係合状態が継続される。したがって、ディスプレイ本体１０が水平面内で左右方向（図１の矢印Ａ方向および矢印Ｂ方向）に旋回された状態から、さらにラックプレート６０を図３の矢印Ｐ方向および矢印Ｑ方向に往復移動させた場合でも、表示画面支持部材８１およびディスプレイ本体１０を垂直面に対して前後方向（図４の矢印Ｃ方向および矢印Ｄ方向）に旋回させることができる。
【００８９】
また、第１実施形態では、ラックプレート６０の係合孔６１ｃを、ラックプレート６０が水平面内で往復動作を行う方向（図３の矢印Ｐ方向および矢印Ｑ方向）と直交する方向に延びる長孔形状に形成するように構成することによって、ディスプレイ本体１０が水平面内で左右方向（図１の矢印Ａ方向および矢印Ｂ方向）に旋回された状態で、ディスプレイ本体１０を垂直面に対して前後方向（図１の矢印Ｃ方向および矢印Ｄ方向）に旋回させる場合でも、表示画面支持部材８１の係合部材８７がラックプレート６０の係合孔６１ｃの内部を、図２４および図２５に示すように横方向に移動しながらラックプレート６０の係合孔６１ｃと係合した状態を継続することができるので、容易に、表示画面支持部材８１を垂直面に対して前後方向（図４の矢印Ｃ方向および矢印Ｄ方向）に旋回させることができる。
【００９０】
（第２実施形態）
図２６は、本発明の第２実施形態による表示画面旋回装置の分解斜視図である。図２７〜図２９は、本発明の第２実施形態による垂直旋回駆動部のラックプレートの構造を説明するための図である。まず、図２６〜図２９を参照して、この第２実施形態では、第１実施形態と異なる構造を有する、垂直旋回駆動部５０のラックプレート１００の構造について説明する。なお、この第２実施形態の垂直旋回駆動部５０のラックプレート１００以外の構造は、上記第１実施形態の構造と同様であるのでその説明を省略する。
【００９１】
この第２実施形態では、図２６に示すように、垂直旋回駆動部５０のラックプレート１００は、板金製のプレート部材１０１と、樹脂製のラックギア６２と、板金製のロックレバー１０２と、バネ部材１０３と、ピン部材１０４とから構成されている。また図２６および図２８に示すように、ラックプレート１００は、プレート部材１０１の上部からピン部材１０４をロックレバー１０２の孔１０２ａおよびプレート部材１０１の孔１０１ｆの順に挿入した上で、ロックレバー１０２をプレート部材１０１に水平方向に回動可能に取り付けられている。また、図２８に示すように、バネ部材１０３を、ロックレバー１０２のフック部１０２ｂと、プレート部材１０１のフック部１０１ｈとに係合させるように構成されている。したがって、ロックレバー１０２は、バネ部材１０３の引張力によって通常の状態では図２８に示すような位置に静止されている。その際、図２８に示すように、ロックレバー１０２のフック部１０２ｂが、プレート部材１０１の孔１０１ｇの内部を移動（回動）することが可能なように構成されている。
【００９２】
また、第２実施形態では、ロックレバー１０２は、図２６および図２７に示すように、表示画面支持機構８０（図２６参照）の係合部材８７（図２６参照）が係合可能な係合部１０２ｃを一体的に有している。したがって、第１実施形態と同様に、図２９に示すように、ラックプレート１００が矢印Ｐ方向および矢印Ｑ方向に往復移動（スライド）するのに伴って、ロックレバー１０２もラックプレート１００と一体的に往復移動されるために、表示画面支持機構８０（図２６参照）の表示画面支持部材８１（図２６参照）が、係合部材８７（図２６参照）とともに上下方向（矢印Ｃ方向および矢印Ｄ方向）に回動することが可能なように構成されている。なお、係合部１０２ｃは、本発明の「第２係合部」の一例である。
【００９３】
また、第２実施形態では、ロックレバー１０２は、図２７に示すように、孔１０２ａと係合部１０２ｃを結ぶ線分４００（１点鎖線）を斜めに横断するように設けられたガイド部１０２ｄを有している。このガイド部１０２ｄは、係合部材８７（図２６参照）と係合部１０２ｃとの係合状態を回復させる際に、係合部材８７（図２６参照）が斜め上方から回動されて徐々に降下する動作に伴って、係合部材８７（図２６参照）の側面がガイド部１０２ｄと当接することによって、ロックレバー１０２がピン部材１０４を中心に水平面内で左右方向（図２９の矢印Ｕ１方向および矢印Ｕ２方向）に回動されるとともに、係合部材８７（図２６参照）を容易に係合部１０２ｃへ導くことを可能とするために設けられている。
【００９４】
図３０〜図３３は、本発明の第２実施形態による表示画面旋回装置の垂直方向の旋回動作を説明するための図である。図１１、図２１、図２２、図２６および図２９〜図３３を参照して、第２実施形態による表示画面旋回装置の垂直方向の旋回動作について説明する。なお、表示画面旋回装置の水平方向の旋回動作については、第１実施形態と同様なので、説明を省略する。
【００９５】
まず、図３０に示すように、ディスプレイ本体１０が表示画面旋回装置２０に垂直に載置された状態において、ユーザが、台座部３０の裏側から、ベース部材３４の中心部に設けられた孔３４ａと、旋回部３１の孔３１ｃを介して指を差し込むことによって、ロックレバー１０２を矢印Ｕ１方向（図２９参照）に移動（回動）させる。このとき、ロックレバー１０２は、図２９に示すように、外形形状が２点鎖線で示された位置から実線で示された位置へと回動する。
【００９６】
ここで、第２実施形態では、図２９に示すように、ロックレバー１０２の係合部１０２ｃが表示画面支持機構８０（図２６参照）の係合部材８７（図２６参照）から外れることによって、表示画面支持部材８１と、ラックプレート１００との係合状態が解除される。また、係合部材８７は、プレート部材１０１の孔１０１ｃによってプレート部材１０１に干渉することなく自由に回動することが可能な状態となっている。
【００９７】
そして、ユーザが、図３０に示した表示画面支持部材８１が表示画面旋回装置２０に対して垂直に支持されている状態から、表示画面支持部材８１により支持されるディスプレイ本体１０を矢印Ｃ方向に押圧する。その場合、図１１に示すように、表示画面支持部材８１の扇状の穴部８１ｄの根元部８１ｇと支持軸８３の上面とが当接しながら、表示画面支持部材８１と支持軸８３とが一体的に垂直支持部材８２の扇状の穴部８２ｄの根元部８２ｅを回動中心として、矢印Ｃ方向に回動を開始する。そして、表示画面支持部材８１と支持軸８３とが４５度（図１１の角度α２）回動されると、図３１に示すように、支持軸８３の側面は、垂直支持部材８２の扇形状の穴部８２ｄの一方縁に当接する。この状態で、ユーザがディスプレイ本体１０を矢印Ｃ方向に更に押圧すると、図３１に示すように、表示画面支持部材８１が、扇状の穴部８１ｄの根元部８１ｇを回動中心として支持軸８３に対して矢印Ｃ方向への回動を継続する。そして、表示画面支持部材８１が、矢印Ｃ方向に更に４５度（図１１の角度α１）回動されると、図３２に示すように、支持軸８３は、表示画面支持部材８１の扇状の穴部８１ｄの一方縁に当接するとともに、矢印Ｃ方向への回動が終了する。このように、第２実施形態では、図３０に示したディスプレイ本体１０が表示画面支持部材８１によって表示画面旋回装置２０に対して垂直に支持されている状態（視聴時）から、図３２に示すように、上方向（矢印Ｃ方向）に９０度まで回動させることが可能である。なお、上記の動作中は、ロックレバー１０２はバネ部材１０３の引張力によって、図２８に示すようなもとの位置に戻されている。
【００９８】
また、図３２に示すように、ディスプレイ本体１０が表示画面旋回装置２０に対して平行な位置（水平位置）まで回動された状態から、ユーザによって、ディスプレイ本体１０を矢印Ｄ方向に押圧すると、上述と反対の回動動作によって、図３０に示したディスプレイ本体１０が表示画面支持部材８１によって表示画面旋回装置２０に対して垂直に支持されている状態（視聴時）まで回動可能である。
【００９９】
ここで、第２実施形態では、図３１に示すように、ユーザによってディスプレイ本体１０が水平位置から矢印Ｄ方向に所定の角度（第２実施形態では約８０度）まで回動された際、表示画面支持部材８１の係合部材８７が、ロックレバー１０２のガイド部１０２ｄに斜め上方から降下する動作に伴って、係合部材８７の側面部がロックレバー１０２のガイド部１０２ｄに徐々に当接を開始する。このとき、図３３に示すように、係合部材８７は、ガイド部１０２ｄに沿いながら、矢印Ｑ方向に移動（回動）されるとともに、ロックレバー１０２はもとの位置（図２８参照）から矢印Ｕ１方向に若干角度回動される。この状態で、図３０に示すように、ディスプレイ本体１０は、ディスプレイ本体１０が表示画面旋回装置２０に対して垂直に支持されている状態まで残りの約１０度を矢印Ｄ方向に回動される。そして、図２９に示すように、係合部材８７は、ロックレバー１０２のガイド部１０２ｄを矢印Ｑ方向に通り越して係合部１０２ｃまで到達するとともに、バネ部材１０３の引張力によって、ロックレバー１０２は矢印Ｕ２方向に回動される。つまりロックレバー１０２は、外形形状を２点鎖線で示した位置に戻る。この結果、図２９に示すように、係合部材８７は、係合部１０２ｃとの係合状態が回復される。したがって、ディスプレイ本体１０は、図２９に示すように、垂直旋回駆動部５０ラックプレート１００の水平面内での往復移動（矢印Ｐ方向および矢印Ｑ方向への移動）に伴い、垂直面に対して上下方向（図３０の矢印Ｃ方向および矢印Ｄ方向）の旋回動作が可能な状態となる。
【０１００】
また、上記の上下方向（図３０の矢印Ｃ方向および矢印Ｄ方向）の旋回動作は、図３３に示すように、表示画面支持部材８１が台座部３０上の旋回板３１に対して垂直であるとともに正面を向いた状態（旋回ギア部材４８の旋回ギア部４８ａの中央部がギア４５の小径ギア部４５ｂと噛合している状態）における動作であるが、図２１および図２２に示すように、旋回部３１を水平方向（矢印Ｇ１方向および矢印Ｇ２方向）に所定の角度旋回させた状態においても、ユーザは上記と同様に、ロックレバー１０２の操作を行うことによって、手動で、表示画面支持部材８１の上下方向（図３０の矢印Ｃ方向および矢印Ｄ方向）の旋回動作を行うことが可能である。
【０１０１】
なお、ロックレバー１０２が係合部材８７に係合した状態における表示画面支持部材８１の垂直旋回動作は、上記説明した第１実施形態の垂直旋回動作と同様である。
【０１０２】
第２実施形態では、上記のように、ラックプレート１００に回動可能に設けられるとともに、表示画面支持部材８１の係合部材８７と係合する係合部１０２ｃを一体的に含むロックレバー１０２を備えるとともに、係合部１０２ｃの、表示画面支持部材８１の係合部材８７との係合が解除された場合に、表示画面支持部材８１を図３２に示すように水平位置まで回動させることが可能なように構成することによって、液晶テレビジョン１００を所定の場所に収納する場合や、他の場所へ移動させる場合にも、容易に、ディスプレイ本体１０を水平位置まで回動させることができる。
【０１０３】
また、第２実施形態では、ロックレバー１０２は、表示画面支持部材８１を水平位置から垂直方向に回動させる際に、表示画面支持部材８１に設けられた係合部材８７の回動とともに、係合部材８７とロックレバー１０２の係合部１０２ｃとの係合状態を自動的に回復させるためのガイド部１０２ｄを含むように構成することによって、ディスプレイ本体１０を水平位置（収納時など）から垂直方向（視聴時）に回動させる場合に、表示画面支持部材８１に設けられた係合部材８７がロックレバー１０２のガイド部１０２ｄに沿いながら回動されて係合部１０２ｃまで導かれるので、容易に、係合部材８７とロックレバー１０２の係合部１０２ｃとの係合状態を回復させることが可能である。したがって、ユーザが係合状態を回復させるための特別な操作を行うことなく、係合部材８７とロックレバー１０２の係合部１０２ｃとの係合状態を自動的に回復させることができる。
【０１０４】
なお、第２実施形態のその他の効果は、上記第１実施形態と同様である。
【０１０５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０６】
たとえば、上記実施形態では、表示装置の一例としての液晶テレビジョンに表示画面旋回装置を設ける例を示したが、本発明はこれに限らず、有機ＥＬパネルなどの液晶パネル以外の表示画面部（表示パネル）を有する表示装置に表示画面旋回装置を設けるようにしてもよい。
【０１０７】
また、上記実施形態では、係合部材８７を別部材として表示画面支持部材８１のアーム部８１ｅに設ける例を示したが、本発明はこれに限らず、係合部を表示画面支持部材のアーム部に一体的に設けるようにしてもよい。
【０１０８】
また、上記実施形態では、水平旋回駆動部４０および垂直旋回駆動部５０の駆動源としてステッピングモータ４２および５２をそれぞれ設ける例を示したが、本発明はこれに限らず、１つの駆動源によって水平旋回駆動部および垂直旋回駆動部の両方を駆動させるようにしてもよい。
【０１０９】
また、第１実施形態では、ラックプレート６０を板金製のプレート部材６１に樹脂製のラックギア６２をネジ９０によって取り付ける例を示したが、本発明はこれに限らず、板金加工または樹脂成形などによって、プレート部とラックギア部とが一体的に形成されたラックプレートを適用するようにしてもよい。
【図面の簡単な説明】
【０１１０】
【図１】本発明の第１実施形態による表示画面旋回装置が設けられた液晶テレビジョンの全体構成を示した斜視図である。
【図２】図１に示した本発明の第１実施形態による表示画面旋回装置が設けられた液晶テレビジョンの分解斜視図である。
【図３】図１に示した本発明の第１実施形態による表示画面旋回装置の平面図である。
【図４】図１に示した本発明の第１実施形態による表示画面旋回装置の構成を説明するための断面図である。
【図５】図１に示した本発明の第１実施形態による表示画面旋回装置の詳細構造を説明するための分解斜視図である。
【図６】図１に示した本発明の第１実施形態による表示画面旋回装置の垂直旋回駆動部の伝達ギア部の配置構成を説明するための図である。
【図７】図１に示した本発明の第１実施形態による表示画面旋回装置の水平旋回駆動部の伝達ギア部の配置構成を説明するための図である。
【図８】図１に示した本発明の第１実施形態によるラックプレートのプレート部材を示した図である。
【図９】図１に示した本発明の第１実施形態によるラックプレートのラックギアを示した図である。
【図１０】図１に示した本発明の第１実施形態による表示画面支持機構および旋回板の構造を示した分解斜視図である。
【図１１】図２の２００−２００線に沿った断面図である。
【図１２】図２に示した本発明の第１実施形態による表示画面支持機構の表示画面支持部材の正面図である。
【図１３】図２に示した本発明の第１実施形態による表示画面支持機構の垂直支持部材の正面図である。
【図１４】図２に示した本発明の第１実施形態による表示画面支持機構の抜止部材を示した図である。
【図１５】図１に示した本発明の第１実施形態による表示画面旋回装置の前後（上下）方向の旋回動作を説明するための図である。
【図１６】図１に示した本発明の第１実施形態による表示画面旋回装置の前後（上下）方向の旋回動作を説明するための図である。
【図１７】図１に示した本発明の第１実施形態による表示画面旋回装置の前後（上下）方向の旋回動作を説明するための図である。
【図１８】図１に示した本発明の第１実施形態による表示画面旋回装置の前後（上下）方向の旋回動作を説明するための図である。
【図１９】図１に示した本発明の第１実施形態による表示画面旋回装置の前後（上下）方向の旋回動作を説明するための図である。
【図２０】図１に示した本発明の第１実施形態による表示画面旋回装置の前後（上下）方向の旋回動作を説明するための図である。
【図２１】図１に示した本発明の第１実施形態による表示画面旋回装置の左右方向の旋回動作を説明するための図である。
【図２２】図１に示した本発明の第１実施形態による表示画面旋回装置の左右方向の旋回動作を説明するための図である。
【図２３】図１に示した本発明の第１実施形態による表示画面旋回装置の前後（上下）方向および左右方向の旋回動作を説明するための図である。
【図２４】図１に示した本発明の第１実施形態による表示画面旋回装置の前後（上下）方向および左右方向の旋回動作を説明するための図である。
【図２５】図１に示した本発明の第１実施形態による表示画面旋回装置の前後（上下）方向および左右方向の旋回動作を説明するための図である。
【図２６】本発明の第２実施形態による表示画面旋回装置の詳細構造を説明するための分解斜視図である。
【図２７】本発明の第２実施形態による垂直旋回駆動部のラックプレートのロックレバーを示した図である。
【図２８】本発明の第２実施形態による垂直旋回駆動部のラックプレートの構造を説明するための図である。
【図２９】本発明の第２実施形態によるラックプレートのロックレバーの動作を説明するための図である。
【図３０】本発明の第２実施形態による表示画面旋回装置の前後（上下）方向の旋回動作を説明するための図である。
【図３１】本発明の第２実施形態による表示画面旋回装置の前後（上下）方向の旋回動作を説明するための図である。
【図３２】本発明の第２実施形態による表示画面旋回装置の前後（上下）方向の旋回動作を説明するための図である。
【図３３】本発明の第２実施形態によるラックプレートのロックレバーの動作を説明するための図である。
【符号の説明】
【０１１１】
１０  ディスプレイ本体（表示画面部）
３０  台座部
３１  旋回板
５１  伝達ギア部
５２  ステッピングモータ（駆動源）
５７  ウォームギア
６０、１００  ラックプレート
６１ｃ  係合孔（第１係合部）
６２  ラックギア
７０  トルクリミッタ
８１  表示画面支持部材
８７  係合部材
１０２  ロックレバー
１０２ｃ  係合部（第２係合部）
１０２ｄ  ガイド部
【図１】
2008116769.tif 000003
【図２】
2008116769.tif 000004
【図３】
2008116769.tif 000005
【図４】
2008116769.tif 000006
【図５】
2008116769.tif 000007
【図６】
2008116769.tif 000008
【図７】
2008116769.tif 000009
【図８】
2008116769.tif 000010
【図９】
2008116769.tif 000011
【図１０】
2008116769.tif 000012
【図１１】
2008116769.tif 000013
【図１２】
2008116769.tif 000014
【図１３】
2008116769.tif 000015
【図１４】
2008116769.tif 000016
【図１５】
2008116769.tif 000017
【図１６】
2008116769.tif 000018
【図１７】
2008116769.tif 000019
【図１８】
2008116769.tif 000020
【図１９】
2008116769.tif 000021
【図２０】
2008116769.tif 000022
【図２１】
2008116769.tif 000023
【図２２】
2008116769.tif 000024
【図２３】
2008116769.tif 000025
【図２４】
2008116769.tif 000026
【図２５】
2008116769.tif 000027
【図２６】
2008116769.tif 000028
【図２７】
2008116769.tif 000029
【図２８】
2008116769.tif 000030
【図２９】
2008116769.tif 000031
【図３０】
2008116769.tif 000032
【図３１】
2008116769.tif 000033
【図３２】
2008116769.tif 000034
【図３３】
2008116769.tif 000035
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
表示画面部を載置するための台座部を備えた表示画面旋回装置において、
前記台座部の内部に配置された駆動源と、
前記台座部の内部に配置され、前記駆動源の駆動力が所定値を超えた場合に、前記駆動源の駆動力を遮断するトルクリミッタを含むとともに、前記駆動源の駆動軸に設けられたウォームギアを介して前記駆動源の駆動力を伝達するための伝達ギア部と、
水平面内で回動可能でかつ垂直面に対して回動可能に前記表示画面部を支持するとともに、前記水平面内の回動中心を通る垂直な線分上に係合部材が設けられた表示画面支持部材と、
前記台座部側に配置され、前記表示画面支持部材の前記係合部材が係合される第１係合部と、前記伝達ギア部と水平方向に噛合するラックギアとを含むラックプレートとをさらに備え、
前記駆動源の正逆回転により前記ラックプレートが前記水平面内で往復移動されることに伴い、前記ラックプレートの前記第１係合部に係合された前記表示画面支持部材の前記係合部材が回動されることによって、前記表示画面支持部材が前記垂直面に対して所定の角度前後方向に回動されるように構成され、
前記ラックプレートの前記第１係合部は、前記ラックプレートが前記水平面内で往復動作を行う方向と交差する方向に延びる長孔形状の係合孔を含む、表示画面旋回装置。
【請求項２】
表示画面部を載置するための台座部と、
前記台座部の内部に配置された駆動源と、
前記台座部の内部に配置され、前記駆動源の駆動力を伝達するための伝達ギア部と、
係合部材が設けられ、水平面内で回動可能でかつ垂直面に対して回動可能に前記表示画面部を支持する表示画面支持部材と、
前記台座部側に配置され、前記伝達ギア部と水平方向に噛合するラックギアを含むラックプレートとを備え、
前記駆動源の正逆回転により前記ラックプレートが前記水平面内で往復移動されることに伴い、前記ラックプレートに係合された前記表示画面支持部材の前記係合部材が回動されることによって、前記表示画面支持部材が前記垂直面に対して所定の角度前後方向に回動されるように構成されている、表示画面旋回装置。
【請求項３】
前記伝達ギア部は、前記駆動源の駆動力が所定値を超えた場合に、前記駆動源の駆動力を遮断するトルクリミッタを含む、請求項２に記載の表示画面旋回装置。
【請求項４】
前記駆動源は、前記駆動源の駆動軸に設けられたウォームギアを介して前記駆動源の駆動力を前記伝達ギア部に伝達する、請求項２または３に記載の表示画面旋回装置。
【請求項５】
前記係合部材は、前記表示画面支持部材の前記水平面内の回動中心を通る垂直な線分上に設けられている、請求項２〜４のいずれか１項に記載の表示画面旋回装置。
【請求項６】
前記ラックプレートは、前記表示画面支持部材の前記係合部材が回動可能に係合される第１係合部をさらに含む、請求項２〜５のいずれか１項に記載の表示画面旋回装置。
【請求項７】
前記ラックプレートの前記第１係合部は、前記ラックプレートが前記水平面内で往復動作を行う方向と交差する方向に延びる長孔形状の係合孔を含む、請求項２〜６のいずれか１項に記載の表示画面旋回装置。
【請求項８】
前記ラックプレートに回動可能に設けられるとともに、前記表示画面支持部材の前記係合部材と係合する第２係合部を一体的に含むロックレバーをさらに備え、
前記第２係合部の、前記表示画面支持部材の前記係合部材との係合が解除された場合に、前記表示画面支持部材を水平位置近傍まで回動させることが可能なように構成されている、請求項２〜５のいずれか１項に記載の表示画面旋回装置。
【請求項９】
前記ロックレバーは、前記表示画面支持部材を水平位置近傍から垂直方向に回動させる際に、前記表示画面支持部材に設けられた前記係合部材の回動とともに、前記係合部材と前記ロックレバーの前記第２係合部との係合状態を自動的に回復させるためのガイド部をさらに含む、請求項８に記載の表示画面旋回装置。
【手続補正２】
【補正対象書類名】明細書
【補正対象項目名】００１３
【補正方法】変更
【補正の内容】
【００１３】
この発明の第２の局面による表示画面旋回装置は、表示画面部を載置するための台座部と、台座部の内部に配置された駆動源と、台座部の内部に配置され、駆動源の駆動力を伝達するための伝達ギア部と、係合部材が設けられ、水平面内で回動可能でかつ垂直面に対して回動可能に表示画面部を支持する表示画面支持部材と、台座部側に配置され、伝達ギア部と水平方向に噛合するラックギアを含むラックプレートとを備え、駆動源の正逆回転によりラックプレートが水平面内で往復移動されることに伴い、ラックプレートに係合された表示画面支持部材の係合部材が回動されることによって、表示画面支持部材が垂直面に対して所定の角度前後方向に回動されるように構成されている。
【手続補正３】
【補正対象書類名】明細書
【補正対象項目名】００１４
【補正方法】変更
【補正の内容】
【００１４】
この第２の局面による表示画面旋回装置では、上記のように、台座部の内部に配置された駆動源と、台座部の内部に配置され、駆動源の駆動力を伝達するための伝達ギア部とを備えるように構成することによって、小型化が困難な伝達ギア部と伝達ギア部の駆動源とを共に台座部の内部に収納することができるので、サイズの大きな伝達ギア部を設計上容易に配置することができる。また、係合部材が設けられ、水平面内で回動可能でかつ垂直面に対して回動可能に表示画面部を支持する表示画面支持部材と、台座部側に配置され、伝達ギア部と水平方向に噛合するラックギアを含むラックプレートとを備え、駆動源の正逆回転によりラックプレートが水平面内で往復移動されることに伴い、ラックプレートに係合された表示画面支持部材の係合部材が回動されることによって、表示画面支持部材が垂直面に対して所定の角度前後方向に回動されるように構成することによって、表示画面部の自重は、表示画面部の静止時および旋回動作時に関係なく、表示画面支持部材に加えられる一方、ラックプレートおよびラックギアを介して水平方向に噛合された伝達ギア部へは加えられないので、伝達ギア部による駆動力の伝達を円滑に行うことができる。
【手続補正４】
【補正対象書類名】明細書
【補正対象項目名】００１７
【補正方法】変更
【補正の内容】
【００１７】
上記第２の局面による表示画面旋回装置において、好ましくは、係合部材は、表示画面支持部材の水平面内の回動中心を通る垂直な線分上に設けられている。このように構成すれば、表示画面部が水平面内で回動（旋回）された場合でも、係合部材は表示画面支持部材の水平面内の回動中心上に位置するので、ラックプレートは水平面内での移動方向と交差する方向に動かされることはなく、係合部材とラックプレートの第１係合部との係合状態が継続される。したがって、表示画面部が水平面内で回動（旋回）された状態から、さらにラックプレートを往復移動させた場合でも、表示画面支持部材および表示画面部を垂直面に対して前後方向に回動（旋回）させることができる。また、上記第２の局面による表示画面旋回装置において、好ましくは、ラックプレートは、表示画面支持部材の係合部材が回動可能に係合される第１係合部をさらに含む。
【手続補正５】
【補正対象書類名】明細書
【補正対象項目名】００１８
【補正方法】変更
【補正の内容】
【００１８】
この場合、好ましくは、ラックプレートの第１係合部は、ラックプレートが水平面内で往復動作を行う方向と交差する方向に延びる長孔形状の係合孔を含む。このように構成すれば、表示画面部が水平面内で回動（旋回）された状態で、表示画面部を垂直面に対して前後方向に回動（旋回）させる場合でも、表示画面支持部材の係合部材がラックプレートの係合孔の内部を移動しながらラックプレートの第１係合部と係合した状態を継続することができるので、容易に、表示画面支持部材を垂直面に対して前後方向に回動（旋回）させることができる。
【手続補正６】
【補正対象書類名】明細書
【補正対象項目名】００８９
【補正方法】変更
【補正の内容】
【００８９】
また、第１実施形態では、ラックプレート６０を、表示画面支持部材８１の係合部材が回動可能に係合される係合孔６１ｃを含むように構成するとともに、ラックプレート６０の係合孔６１ｃを、ラックプレート６０が水平面内で往復動作を行う方向（図３の矢印Ｐ方向および矢印Ｑ方向）と直交する方向に延びる長孔形状に形成するように構成することによって、ディスプレイ本体１０が水平面内で左右方向（図１の矢印Ａ方向および矢印Ｂ方向）に旋回された状態で、ディスプレイ本体１０を垂直面に対して前後方向（図１の矢印Ｃ方向および矢印Ｄ方向）に旋回させる場合でも、表示画面支持部材８１の係合部材８７がラックプレート６０の係合孔６１ｃの内部を、図２４および図２５に示すように横方向に移動しながらラックプレート６０の係合孔６１ｃと係合した状態を継続することができるので、容易に、表示画面支持部材８１を垂直面に対して前後方向（図４の矢印Ｃ方向および矢印Ｄ方向）に旋回させることができる。
【手続補正７】
【補正対象書類名】図面
【補正対象項目名】図１２
【補正方法】変更
【補正の内容】
【図１２】
2008116769.tif 000036
【手続補正８】
【補正対象書類名】図面
【補正対象項目名】図１３
【補正方法】変更
【補正の内容】
【図１３】
2008116769.tif 000037